(57)【要約】      （修正有）【課題】既存の照明器具にそのまま接続でき、電源が不要で、厚みを抑えたＢｌｕｅｔｏｏｔｈ（登録商標）スピーカーを提供する。【解決手段】照明シーリング装着Ｂｌｕｅｔｏｏｔｈ加振器スピーカー１であって、天板本体２の上部に照明用引っ掛けシーリング（オス）３、下部に照明用埋込引っ掛けシーリング（メス）４が装着され、天井８と既存照明器具９のジョイント部に配置され、既存の照明器具にそのまま接続させる。加振器スピーカー５を採用し、厚みを最小限に抑えたＢｌｕｅｔｏｏｔｈスピーカーであり、別に電源を用意する必要がない。【選択図】図１
0003231500.tif 000002
【実用新案登録請求の範囲】
【請求項１】
サウンドシステムであって、
天板本体と
この本体に取り付けられて加振させ音を出す少なくとも一つ以上の加振器と、
前記天板本体の一方の面に固定された照明用引っ掛けシーリング（オス）と、
前記天板本体のもう一方の面に固定された照明用埋込引っ掛けシーリング（メ
ス）と、
前記加振器に音楽信号を伝える制御基板と
を備えることを特徴とするサウンドシステム。
【請求項２】
前記制御基板には少なくとも電源、アンプ、Ｂｌｕｅｔｏｏｔｈ受信回路が備え付けられる
ことを特徴とする請求項１に記載のサウンドシステム。
【請求項３】
前記照明用埋込引っ掛けシーリング（メス）には前記照明用引っ掛けシーリング（オス）から得られた電源が供給される
ことを特徴とする請求項１に記載のサウンドシステム。
【考案の詳細な説明】
【技術分野】
【０００１】
本考案は、照明用シーリングより電源供給を受ける天井部分に設置されるＢｌｕｅｔｏｏｔｈ対応スピーカーに関するものである。
【背景技術】
【０００２】
テレビや音楽プレイヤーからＢｌｕｅｔｏｏｔｈ通信によって音を出す手段は、家庭用コンセント、もしくは充電タイプのＢｌｕｅｔｏｏｔｈ対応スピーカーから出していた。
また、照明タイプのＢｌｕｅｔｏｏｔｈ対応スピーカーも存在していた。
【先行技術文献】
【特許文献】
【０００３】
【特許文献１】特開２０１２−２２７７３３号公報
【０００４】
【特許文献２】特開２０２０−１１３５２２号公報
【考案の概要】
【考案が解決しようとする課題】
【０００５】
従来のコンセントタイプのＢｌｕｅｔｏｏｔｈスピーカーの場合、コンセント近くで置く場所を取っていた。
従来の充電式Ｂｌｕｅｔｏｏｔｈスピーカーの場合でも場所は選べるが、置く場所を取っていた。
置く場所を取らない照明シーリングに装着されるＢｌｕｅｔｏｏｔｈスピーカーはあるが、天井埋め込み型か照明機能が内蔵されたものである。
天井埋め込み型の場合工事費が嵩み、照明タイプのＢｌｕｅｔｏｏｔｈスピーカーでは、既存の照明器具が使えなくなる、また高額であるという欠点があった。家電メーカーは照明器具を販売することが主であり、顧客の金銭面、既存の照明の事など無視、軽視する傾向があった。
前述の欠点を解決しようとしたものである。
【課題を解決するための手段】
【０００６】
本考案は天板部分の上部に引っ掛けシーリング（オス）、下部に埋込引っ掛けシーリング（メス）が装着されており、天井と既存照明器具のジョイント部に位置される。
また、スピーカー部は従来のボックス型のコーン紙を振動させるものではなく、天板に振動を与える「加振器」を採用し、厚みを最小限に抑え、既存照明器具を本製品により長さを調整させるのを防いでいる。
【考案の効果】
【０００７】
上述の様に、照明シーリング装着Ｂｌｕｅｔｏｏｔｈ加振器スピーカーは、天板部分の上部に引っ掛けシーリング（オス）、下部に埋込引っ掛けシーリング（メス）  が装着されており、天井と既存照明器具のジョイント部に位置されており、既存の照明器具を本製品にそのまま接続させることにより、違和感なく使用できると共に、「加振器スピーカー」を採用し、厚みを最小限に抑えたＢｌｕｅｔｏｏｔｈスピーカーを別に電源を用意することなく実現させている。  
天井埋込型や照明毎丸々交換しなくてはいけなかった物に比べ、経済的に安く同等の効果を得られるものになっている。
本製品は天井という空間に設置される為、余計なスペース、コンセント、充電の手間、電源入切の煩わしさを解消している。  
【図面の簡単な説明】
【０００８】
【図１】照明シーリング装着Ｂｌｕｅｔｏｏｔｈ加振器スピーカーの実施例を示す側面図である。
【図２】は照明シーリング装着Ｂｌｕｅｔｏｏｔｈ加振器スピーカーを示す正面図である。
【図３】は照明シーリング装着Ｂｌｕｅｔｏｏｔｈ加振器スピーカー制御基板のブロック図である。
【考案を実施するための形態】
【０００９】
本器を装着する手段は、既存の照明器具９を天井の埋込引っ掛けシーリング（メス）４から外すところから始まる。本器の制御基板ボックス６を上にし、天板部分の上部にある引っ掛けシーリング（オス）３部分を天井の埋込引っ掛けシーリング（メス）４に接合する。その後、先ほど外した既存照明器具の引っ掛けシーリング（オス）部分を本器下部にある埋込引っ掛けシーリング（メス）４に接合させる。以上で、本器の設置は完了となる。既存の照明器具は従来位置より５センチメートルほど下がった形となるが違和感は生じない。
基板電源が入った状態で、Ｂｌｕｅｔｏｏｔｈ対応機器と本器を接続させれば、天井埋め込み型と変わらない天板からクリアで迫力のある音声が出力される。なお、音声の出力と照明器具の消点灯は関係しない。
音声（ＡＩスピーカー）もしくはスマートフォンもしくはリモコンにて加振器スピーカーの制御を行える。
【実施例】
【００１０】
図に従って実施例を説明する。
天板本体２は耐久性のプラスチック、金属、木材、紙等、加振器が与える振動を吸収し、バランスよくクリアな音の再現に適したものである。
加振器スピーカー５は天板上部に加振器スピーカー留め具７で固定され、防水性や気密性が求められる場所にも設置して音を鳴らせる、低背タイプの物である。オーディオアンプ１２やネットワークモジュール１３、Ｂｌｕｅｔｏｏｔｈモジュール１４を備えたものであってもよい。
制御基板ボックス６は天板上部に置かれ、電源入力、電源出力、Ｂｌｕｅｔｏｏｔｈ受信、送信、アンプ機能を制御している。また声による音声コントロールを実現させるために、スマートスピーカーモジュールを備えたものであってもよい。
ＡＣ／ＤＣ電源１６は、加振器スピーカー５、オーディオアンプ１２に電源を供給するとともに、別回路にて既存照明用器具９にも電源供給する。
なお加振器スピーカー５の電源入り切りの状態に関係なく、既存照明用器具９に電源が供給される。
また、付加機能として、火災報知器機能、非常時用ランタン、装飾イコライザーとして別途ＬＥＤを点灯させる機能を有していてもよい。
引っ掛けシーリング（オス）３は天板本体２の上部に固定され、天井８の埋込引っ掛けシーリング（メス）４に接合させ、電源供給を受ける。
埋込引っ掛けシーリング（メス）４は天板の下部に固定され、既存照明器具９の引っ掛けシーリング（オス）を接合し、電源供給する。
加振器スピーカー留め具７は天板本体２の上部に固定され、加振器スピーカー５固定の為に使用される。加振器スピーカーの故障、交換が容易にできるためワンタッチで着脱でき、また、天板とのがたつき調整ができるよう、天板への圧力調整ができる機能を設けておくこともできる。
【産業上の利用可能性】
【００１１】
個人利用が主目的であるが、ショップ、レストラン、あらゆる産業で利用が可能である。
【符号の説明】
【００１２】
１  照明シーリング装着Ｂｌｕｅｔｏｏｔｈ加振器スピーカー
２  天板本体
３  照明用引っ掛けシーリング（オス） 
４  照明用埋込引っ掛けシーリング（メス） 
５  加振器スピーカー 
６  制御基板ボックス 
７  加振器スピーカー留め具 
８  天井
９  既存照明器具
１０  ＣＰＵ
１１  ＤＳＰ
１２  オーディオアンプ
１３  ネットワークモジュール
１４  Ｂｌｕｅｔｏｏｔｈモジュール
１５  スマートスピーカーモジュール
１６  ＡＣ／ＤＣ電源
【図１】
0003231500.tif 000003
【図２】
0003231500.tif 000004
【図３】
0003231500.tif 000005
【手続補正書】
【提出日】令和3年1月30日(2021.1.30)
【手続補正１】
【補正対象書類名】実用新案登録請求の範囲
【補正対象項目名】請求項２
【補正方法】変更
【補正の内容】
【請求項２】
前記制御基板には少なくとも電源、アンプ、Ｂｌｕｅｔｏｏｔｈ（登録商標）受信回路が備え付けられる
ことを特徴とする請求項１に記載のサウンドシステム。